(57)【要約】【課題】ＵＰｎＰプロトコルに準拠しつつデバイスの一時離脱を監視することのできるネットワーク監視装置、及びその監視装置を有するＵＰｎＰネットワークシステムを得る。【解決手段】ＵＰｎＰデバイスのネットワーク離脱を監視する装置であって、監視対象デバイスを接続するためのネットワークポート２１０と、ネットワークポート２１０のリンク状態を監視する監視部２３０と、を備え、監視部２３０は、監視対象デバイスを接続したネットワークポート２１０のリンクダウンを検知すると、当該監視対象デバイスがネットワークを離脱したものと判断し、その旨の通知パケットを出力することを特徴とする。【選択図】図１
2008225623.tif 000002
【特許請求の範囲】
【請求項１】
ＵＰｎＰデバイスのネットワーク離脱を監視する装置であって、
監視対象デバイスを接続するためのネットワークポートと、
前記ネットワークポートのリンク状態を監視する監視部と、
を備え、
前記監視部は、
監視対象デバイスを接続した前記ネットワークポートのリンクダウンを検知すると、
当該監視対象デバイスがネットワークを離脱したものと判断し、
その旨の通知パケットを出力する
ことを特徴とするネットワーク監視装置。
【請求項２】
ＵＰｎＰデバイスのネットワーク離脱を監視する装置であって、
ネットワークと接続するためのネットワークポートと、
前記ネットワークポートを用いて通信する通信部と、
監視対象デバイスのネットワーク離脱を検知した際にその旨の通知パケットを出力する監視部と、
を備え、
前記通信部は、
監視対象デバイスと当該監視装置との間でネットワーク接続を常時確保し、
そのネットワーク接続が切断された際に前記監視部へその旨を通知し、
前記監視部は、
前記通信部よりその通知を受け取ると、
当該監視対象デバイスのネットワーク離脱を検知した旨の通知パケットを出力する
ことを特徴とするネットワーク監視装置。
【請求項３】
前記監視部は、
ＳＮＭＰエージェント機能を備えており、
前記通知パケットとしてＳＮＭＰ  Ｔｒａｐを出力する
ことを特徴とする請求項１又は請求項２に記載のネットワーク監視装置。
【請求項４】
請求項１ないし請求項３のいずれかに記載のネットワーク監視装置と、
前記ネットワーク監視装置による監視対象のＵＰｎＰデバイスと、
ＵＰｎＰコントロールポイントと、
を有し、
前記ネットワーク監視装置は、
前記通知パケットを前記ＵＰｎＰコントロールポイント宛に送信する
ことを特徴とするＵＰｎＰネットワークシステム。
【請求項５】
前記ＵＰｎＰコントロールポイントは、
前記通知パケットを受け取ると、そのパケットに対応する前記ＵＰｎＰデバイスのネットワーク再参入処理を実行する
ことを特徴とする請求項４に記載のＵＰｎＰネットワークシステム。
【請求項６】
前記ＵＰｎＰコントロールポイントは、
前記ネットワーク再参入処理として、
前記ＵＰｎＰデバイス宛にＵＰｎＰプロトコルのＳＵＢＳＣＲＩＢＥメッセージを送信する
ことを特徴とする請求項５に記載のＵＰｎＰネットワークシステム。
【請求項７】
前記ＵＰｎＰコントロールポイントはＳＮＭＰマネージャ機能を備えており、
前記ネットワーク監視装置は、
前記ＵＰｎＰデバイスのネットワーク離脱を検知すると、前記通知パケットとしてＳＮＭＰ  Ｔｒａｐを前記ＵＰｎＰコントロールポイント宛に送信する
ことを特徴とする請求項４ないし請求項６のいずれかに記載のＵＰｎＰネットワークシステム。
【請求項８】
前記ネットワーク監視装置を前記ＵＰｎＰコントロールポイントに組み込んで構成した
ことを特徴とする請求項４ないし請求項７のいずれかに記載のＵＰｎＰネットワークシステム。
【発明の詳細な説明】
【技術分野】
【０００１】
本発明は、ＵＰｎＰ（Ｕｎｉｖｅｒｓａｌ  Ｐｌｕｇ  ａｎｄ  Ｐｌａｙ）ネットワークに接続したＵＰｎＰデバイスのネットワーク離脱を検知する監視装置、及びその監視装置を有するＵＰｎＰネットワークシステムに関するものである。
【背景技術】
【０００２】
従来、ＵＰｎＰネットワークにおいて、『ネットワークへの接続が再参加の場合であって、前回のネットワークから離脱することを示すメッセージが受信できず、装置が継続して存在しているものとして管理している制御装置が存在する場合、その制御装置との通信がリセットされたのと同様の状態で通信を開始させる』ことを目的とした技術として、『ＵＰｎＰネットワークにデバイスを参加させる場合、ネットワーク参加が確立した後、ネットワークから離脱し、存在しないことを示すＢＹＥＢＹＥメッセージをＵＰｎＰプロトコルで送信し、その後、ネットワークに存在することを示すＡＬＩＶＥメッセージを送信する。この結果、前回のネットワーク離脱する際のＢＹＥＢＹＥメッセージが何らかの原因でコントロールポイントに受信できない状況下で、デバイスがネットワークに再参加を行う場合に、コントロールポイントが新規登録のネットワークデバイスであると判断し、そのネットワークデバイスに対してＳＵＢＳＣＲＢＥメッセージが送信されることが約束される。』というものが提案されている（特許文献１）。
【０００３】
また、『ユーザの利便性を害することなく、使用されないポートマッピング情報の残留を防止するブロードバンドルータを提供する。』ことを目的とした技術として、『ポートマッピング部２５は、ポートマッピングテーブル上で、ＬＡＮインタフェース２１に接続された装置１１のポートに対するマッピングを示すポートマッピング情報の登録および削除を管理する。監視部２６は、ポートマッピングテーブルにポートマッピング情報が登録されている装置１１の正常性を監視し、正常性が失われた装置１１のポートマッピング情報の削除をポートマッピング部２５に要求する。ルータ部２３は、ポートマッピングテーブルに登録されたポートマッピング情報に従ってＷＡＮインタフェース２２とＬＡＮインタフェース２１の間のパケットを転送する。』というものが提案されている（特許文献２）。
【０００４】
【特許文献１】特開２００５−１７５７２４号公報（要約）
【特許文献２】特開２００６−１５７８００号公報（要約）
【発明の開示】
【発明が解決しようとする課題】
【０００５】
従来、ＵＰｎＰネットワークの構築に際しては、ＵＰｎＰデバイスが電源リセット等によりネットワークから一時的に離脱して再参入した際に、ＵＰｎＰコントロールポイントがその再参入を検知することができず、離脱状態のままで以後の運用が継続されてしまうと言う課題があった。
これは、ネットワークからの一時離脱をＵＰｎＰコントロールポイントに通知する手順がＵＰｎＰプロトコルに備わっていないことに起因する。
【０００６】
この点に関し、上記特許文献１に記載の技術では、ＵＰｎＰデバイスの再起動時にＢＹＥＢＹＥメッセージをＵＰｎＰプロトコルで送信し、その後ＡＬＩＶＥメッセージを送信することにより、ネットワークからの一時離脱をＵＰｎＰコントロールポイントに通知する手法が提案されている。
しかし、かかる手順はＵＰｎＰプロトコルの規定するところではない。即ち、たとえ個々のメッセージ（ＢＹＥＢＹＥ、及びＡＬＩＶＥ）がＵＰｎＰプロトコルに準拠したものであっても、その送信手順如何によりネットワークからの一時離脱を通知することは、ＵＰｎＰプロトコルの予定するものではなく、したがって各デバイスにこれらの手順専用の作り込みを要するので、汎用的ではない。
【０００７】
また、上記特許文献２では、監視部２６よりＵＰｎＰイベンティングメッセージを定期的に送信して応答の有無を監視することが記載されているが、デバイスの一時離脱と再参入を検知することはできない。
【０００８】
本発明は、上記の課題を解決するためになされたものであり、ＵＰｎＰプロトコルに準拠しつつデバイスの一時離脱を監視することのできるネットワーク監視装置、及びその監視装置を有するＵＰｎＰネットワークシステムを得ることを目的とする。
【課題を解決するための手段】
【０００９】
本発明に係るネットワーク監視装置は、
ＵＰｎＰデバイスのネットワーク離脱を監視する装置であって、
監視対象デバイスを接続するためのネットワークポートと、
前記ネットワークポートのリンク状態を監視する監視部と、
を備え、
前記監視部は、
監視対象デバイスを接続した前記ネットワークポートのリンクダウンを検知すると、
当該監視対象デバイスがネットワークを離脱したものと判断し、
その旨の通知パケットを出力する
ことを特徴とするものである。
【発明の効果】
【００１０】
本発明に係るネットワーク監視装置によれば、ＵＰｎＰプロトコルに準拠しつつデバイスの一時離脱を監視することができるので、その監視のために独自の実装を施す必要がなく、従来と同様のシステム構成によりデバイスの一時離脱を監視することが可能である。
【発明を実施するための最良の形態】
【００１１】
実施の形態１．
図１は、本発明の実施の形態１に係るＵＰｎＰネットワークシステムの構成図である。
図１において、４００は基幹ネットワークで、ＵＰｎＰコントロールポイント１００、監視装置２００が接続されている。
ＵＰｎＰコントロールポイント１００は、ＵＰｎＰプロトコルを用いてＵＰｎＰデバイス３００のデバイス構成情報等を取得し、又は状態変化等のメッセージを受け取る。
監視装置２００はネットワークポート２１０を複数備えている。ネットワークポート２１０の１つは基幹ネットワーク４００に接続され、他の１つはＵＰｎＰデバイス３００に接続されている。
ＵＰｎＰコントロールポイント１００、及びＵＰｎＰデバイス３００も、基幹ネットワーク４００と接続するためのネットワークインターフェースを備えるが、ここでは図示を省略する。
ＵＰｎＰコントロールポイント１００、監視装置２００の詳細な構成は後述する。
【００１２】
監視装置２００は、ＵＰｎＰデバイス３００がネットワークを離脱したことを検知し、ＵＰｎＰコントロールポイント１００に通知する。
ＵＰｎＰコントロールポイント１００は、監視装置２００より、ＵＰｎＰデバイス３００がネットワークを離脱した旨の通知を受け取ると、ＵＰｎＰデバイス３００のネットワーク再参入処理を実行する。
これらの手順の詳細は、後述の図４〜図５で説明する。
【００１３】
図２は、監視装置２００の機能ブロック図である。監視装置２００は、複数のネットワークポート２１０、通信部２２０、監視部２３０を備える。
【００１４】
ネットワークポート２１０は、ネットワークケーブル等を接続するための物理インターフェースである。通信方式は、Ｅｔｈｅｒｎｅｔ（登録商標）、ＵＳＢ（Ｕｎｉｖｅｒｓａｌ  Ｓｅｒｉａｌ  Ｂｕｓ）、シリアルインターフェース等を用いることができる。
通信部２２０は、ネットワークポート２１０を用いて通信パケットを送受信する機能部である。通信プロトコルは、ＴＣＰ／ＩＰ、ＵＤＰ等を用いることができる。
監視部２３０は、ネットワークポート２１０のリンク状態を監視する。
ここでいうリンク状態とは、当該ネットワークポート２１０の通信状態がアクティブであるか否かの状態のことである。これを監視することにより、接続先機器のネットワーク接続がアクティブであるか否かを監視することができるので、ネットワーク離脱の検知が可能である。
【００１５】
また、監視部２３０は、ＳＮＭＰ（Ｓｉｍｐｌｅ  Ｎｅｔｗｏｒｋ  Ｍａｎａｇｅｍｅｎｔ  Ｐｒｏｔｏｃｏｌ）エージェントとしての機能を備える。
監視部２３０は、ＵＰｎＰデバイス３００を接続しているネットワークポート２１０のリンクダウンを検知すると、ＵＰｎＰコントロールポイント１００宛てにＳＮＭＰ  Ｔｒａｐを送信する。詳細は後述の図４〜図５で説明する。
【００１６】
通信部２２０、監視部２３０は、これらの機能を実現する回路デバイス等のハードウェアで構成することもできるし、ＣＰＵやマイコン等の演算装置上で実行されるソフトウェアとして構成することもできる。
【００１７】
図３は、ＵＰｎＰコントロールポイント１００の機能ブロック図である。
ＵＰｎＰコントロールポイント１００は、ネットワークインターフェース１１０、通信部１２０、通知受信部１３０、ＵＰｎＰプロトコル処理部１４０、デバイス情報記憶部１５０を備える。
【００１８】
ネットワークインターフェース１１０は、ネットワークケーブル等を接続するための物理インターフェースである。通信方式は、Ｅｔｈｅｒｎｅｔ（登録商標）、ＵＳＢ（Ｕｎｉｖｅｒｓａｌ  Ｓｅｒｉａｌ  Ｂｕｓ）、シリアルインターフェース等を用いることができる。
通信部１２０は、ネットワークインターフェース１１０を用いて通信パケットを送受信する機能部である。通信プロトコルは、監視装置２００やＵＰｎＰデバイス３００と統一する。
通知受信部１３０は、ＳＮＭＰマネージャ機能を備え、監視装置２００からのＳＮＭＰ  Ｔｒａｐを、ネットワークインターフェース１１０を介して受信する。
ＵＰｎＰプロトコル処理部１４０は、ＵＰｎＰプロトコルに固有のメッセージを処理するためのプロトコルスタックである。
デバイス情報記憶部１５０は、ＵＰｎＰデバイス３００より取得したデバイス構成情報等を格納する。
【００１９】
通信部１２０、通知受信部１３０、及びＵＰｎＰプロトコル処理部１４０は、これらの機能を実現する回路デバイス等のハードウェアで構成することもできるし、ＣＰＵやマイコン等の演算装置上で実行されるソフトウェアとして構成することもできる。
デバイス情報記憶部１５０は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）等の書込み可能な記憶装置で構成することができる。
【００２０】
図４は、ＵＰｎＰデバイス３００がネットワークに参入する際の処理シーケンスを説明するものである。以下、各ステップについて説明する。
【００２１】
（Ｓ４０１）
ＵＰｎＰデバイス３００は、ＵＰｎＰコントロールポイント１００の配下のネットワークに新規接続する。
（Ｓ４０２）
ＵＰｎＰデバイス３００は、ＵＰｎＰプロトコルのＡＤＶＥＲＴＩＳＥＭＥＮＴメッセージをマルチキャスト送信する。ＡＤＶＥＲＴＩＳＥＭＥＮＴメッセージには、ＵＰｎＰデバイス３００のデバイス情報にアクセスするためのＵＲＬ（Ｕｎｉｆｏｒｍ  Ｒｅｓｏｕｒｃｅ  Ｌｏｃａｔｏｒ）が含まれている。
【００２２】
（Ｓ４０３）
ＵＰｎＰコントロールポイント１００は、ＡＤＶＥＲＴＩＳＥＭＥＮＴメッセージの受信によりＵＰｎＰデバイス３００のネットワーク参入を認識する。
（Ｓ４０４）
ＵＰｎＰコントロールポイント１００は、ＡＤＶＥＲＴＩＳＥＭＥＮＴメッセージに含まれるＵＲＬより、ＵＰｎＰデバイス３００のデバイス構成情報を取得する。
（Ｓ４０５）
ＵＰｎＰコントロールポイント１００は、ステップＳ４０４で取得したＵＰｎＰデバイス３００のデバイス構成情報を、デバイス情報記憶部１５０に格納する。
【００２３】
（Ｓ４０６）
ＵＰｎＰコントロールポイント１００は、ＵＰｎＰデバイス３００に対してＳＵＢＳＣＲＩＢＥメッセージを送信する。
（Ｓ４０７）
ＵＰｎＰデバイス３００は、ＵＰｎＰコントロールポイント１００が送信したＳＵＢＳＣＲＩＢＥメッセージを受信する。以後、ＵＰｎＰデバイス３００は、デバイス構成の変化等のイベントが生じた際に、ＵＰｎＰコントロールポイント１００宛てにその旨の通知パケットをＵＰｎＰプロトコルに準拠して送信する。
【００２４】
図５は、ＵＰｎＰデバイス３００が電源リセット等の理由によりネットワークから一時的に離脱し、再びネットワークに参入する際の処理シーケンスである。以下、各ステップについて説明する。
【００２５】
（Ｓ５０１）
ＵＰｎＰデバイス３００が電源リセット等の理由によりネットワークから一時的に離脱する。このとき、ＵＰｎＰデバイス３００と監視装置２００の間の通信が断絶するため、通信装置２００のネットワークポート２１０に一時的なリンクダウンが生ずる。
（Ｓ５０２）
監視装置２００は、ネットワークポート２１０のリンクダウンを検知することにより、ＵＰｎＰデバイス３００のネットワーク離脱を検知する。
（Ｓ５０３）
監視装置２００は、ＵＰｎＰコントロールポイント１００に対して、ＵＰｎＰデバイス３００がネットワークから離脱した旨の通知パケット（ＳＮＭＰ  Ｔｒａｐ）を送信する。
【００２６】
（Ｓ５０４）
ＵＰｎＰコントロールポイント１００は、監視装置２００が送信した通知パケット（ＳＮＭＰ  Ｔｒａｐ）を受信する。次に、ＵＰｎＰデバイス３００のネットワーク再参入処理を開始する。
（Ｓ５０５）
ＵＰｎＰコントロールポイント１００は、ＵＰｎＰデバイス３００に対してＳＵＢＳＣＲＩＢＥメッセージを送信する。
（Ｓ５０６）
ＵＰｎＰデバイス３００は、ＵＰｎＰコントロールポイント１００が送信したＳＵＢＳＣＲＩＢＥメッセージを受信する。以後、ＵＰｎＰデバイス３００は、デバイス構成の変化等のイベントが生じた際に、ＵＰｎＰコントロールポイント１００宛てにその旨の通知パケットをＵＰｎＰプロトコルに準拠して送信する。
【００２７】
以上のステップＳ５０１〜Ｓ５０６で説明した処理により、ＵＰｎＰコントロールポイント１００は、ＵＰｎＰデバイス３００がネットワークに再参入した後の状態変化等の通知を受信することができる。
即ち、ＵＰｎＰデバイス３００は、ネットワークから一時的に離脱した後、ＵＰｎＰコントロールポイント１００の配下に再参入したことになる。
以上の再参入処理はＵＰｎＰコントロールポイント１００が自動的に行うので、再参入のためにオペレータ等による作業を要さず、運用コストの観点から有利である。なお、ＵＰｎＰデバイス３００が一時離脱した旨の記録は、ＳＮＭＰ  Ｔｒａｐ受信時にそのログを記録しておけばよい。
【００２８】
以上のように、本実施の形態１によれば、ＵＰｎＰプロトコルに準拠しつつＵＰｎＰデバイス３００の一時離脱を監視することができるので、その監視のために独自の実装を施す必要がなく、従来と同様のシステム構成によりＵＰｎＰデバイス３００の一時離脱を監視することが可能である。
また、一時離脱通知を受け取った後、当該ＵＰｎＰデバイス３００に対し再度ＳＵＢＳＣＲＩＢＥメッセージを送信することにより、一時離脱したＵＰｎＰデバイス３００を再度ＵＰｎＰコントロールポイント１００の配下に参入させることができるので、再参入のために特別なオペレーション等が必要なく、シームレスな自動運用が可能である。
【００２９】
実施の形態２．
実施の形態１では、ネットワークポート２１０のリンクダウンによりＵＰｎＰデバイス３００のネットワーク離脱を物理的に検知する構成について説明した。
本発明の実施の形態２では、ＵＰｎＰデバイス３００と監視装置２００との間の通信プロトコル上のコネクション断絶によりネットワーク離脱を検知する動作例を説明する。
【００３０】
図６は、本発明の実施の形態２に係るＵＰｎＰネットワークシステムの構成図である。
図６において、監視装置２００は、実施の形態１と異なり単一のネットワークインターフェースを備える。また、ＵＰｎＰデバイス３００は、基幹ネットワーク４００と接続されている。
その他の構成は図１と同様である。
【００３１】
図７は、本実施の形態２に係る監視装置２００の機能ブロック図である。
同図に示すように、監視装置２００は、単一のネットワークポート２１０を備える。その他の機能部については、後述する。
【００３２】
次に、本実施の形態２に係る監視装置２００が、ＵＰｎＰデバイス３００のネットワーク離脱を検知する手法について説明する。
【００３３】
通信部２２０は、ＵＰｎＰデバイス３００との間で、通信コネクションを常時接続状態に確保する。
ＵＰｎＰデバイス３００がネットワークを離脱すると、ＵＰｎＰデバイス３００との通信に用いている通信プロトコル上の通信コネクションが断絶するので、これによりＵＰｎＰデバイス３００のネットワーク離脱を検知することができる。
【００３４】
なお、通信プロトコル上の通信コネクション断絶は、ＳＮＭＰによる監視に馴染まないため、通信部２２０自身が通信コネクション断絶を検知し、その旨を監視部２３０に通知する。
監視部２３０からＵＰｎＰコントロールポイント１００への通知は、ＳＮＭＰ  Ｔｒａｐを用いればよい。
【００３５】
以上のように、本実施の形態２によれば、実施の形態１と同様な効果を得ることができる。また、監視装置２００にネットワークポート２１０を複数設ける必要がなく、部品点数の削減によるコスト削減効果が期待できる。
【００３６】
以上の実施の形態１〜２において、監視装置２００からＵＰｎＰコントロールポイント１００への通知は、ＳＮＭＰ  Ｔｒａｐを用いることとしたが、通知方法はＳＮＭＰに限るものではなく、任意の通知パケットで構わない。
ただし、通知パケットを受け取るＵＰｎＰコントロールポイント１００がその内容を理解できなければならないので、機器監視に広く用いられているＳＮＭＰを用いる方が、実装の簡便性の観点からは有利である。
【００３７】
実施の形態３．
以上の実施の形態１〜２では、監視装置２００とＵＰｎＰコントロールポイント１００を別個に構成した。本発明の実施の形態３では、これらを一体的に構成した例について説明する。
【００３８】
図８は、本実施の形態３に係るＵＰｎＰネットワークシステムの構成図である。
図８の上図（構成例１）は、実施の形態１に係る監視装置２００をＵＰｎＰコントロールポイント１００に組み込んだ例、図８の下図（構成例２）は、実施の形態２に係る監視装置２００をＵＰｎＰコントロールポイント１００に組み込んだ例である。
両者を一体的に構成することにより、ネットワークインターフェースや通信部を共通にすることができるので、部品点数の削減によるコスト削減効果が期待できる。
また、ＵＰｎＰデバイス３００のネットワーク離脱を検知した際にＳＮＭＰ  Ｔｒａｐを送信する必要がないので、基幹ネットワーク４００自体に異常が生じていることによりＳＮＭＰ  Ｔｒａｐを受信できない、というような問題が生じることもない。
【００３９】
以上の実施の形態１〜３において、ＵＰｎＰコントロールポイント１００、監視装置２００、ＵＰｎＰデバイス３００は、基幹ネットワーク４００を介して接続されているものとして記載した。
しかし、ネットワークの形態はこれに限られるものではない。ＵＰｎＰコントロールポイント１００がＵＰｎＰデバイスのネットワーク離脱を知るためには、その旨の通知パケット（例えばＳＮＭＰ  Ｔｒａｐ）を受信できればよいので、必ずしも監視装置２００の近傍に配置されている必要はない。
【００４０】
また、実施の形態２においては、通信プロトコル上のコネクション断絶によりＵＰｎＰデバイス３００のネットワーク離脱を検知するので、監視装置２００とＵＰｎＰデバイス３００がネットワーク接続可能であれば、両者のネットワーク上の配置は問わない。
【図面の簡単な説明】
【００４１】
【図１】実施の形態１に係るＵＰｎＰネットワークシステムの構成図である。
【図２】監視装置２００の機能ブロック図である。
【図３】ＵＰｎＰコントロールポイント１００の機能ブロック図である。
【図４】ＵＰｎＰデバイス３００がネットワークに参入する際の処理シーケンスを説明するものである。
【図５】ＵＰｎＰデバイス３００が電源リセット等の理由によりネットワークから一時的に離脱し、再びネットワークに参入する際の処理シーケンスである。
【図６】実施の形態２に係るＵＰｎＰネットワークシステムの構成図である。
【図７】実施の形態２に係る監視装置２００の機能ブロック図である。
【図８】実施の形態３に係るＵＰｎＰネットワークシステムの構成図である。
【符号の説明】
【００４２】
１００  ＵＰｎＰコントロールポイント、１１０  ネットワークインターフェース、１２０  通信部、１３０  通知受信部、１４０  ＵＰｎＰプロトコル処理部、１５０  デバイス情報記憶部、２００  監視装置、２１０  ネットワークポート、２２０  通信部、２３０  監視部、３００  ＵＰｎＰデバイス、４００  基幹ネットワーク。
【図１】
2008225623.tif 000003
【図２】
2008225623.tif 000004
【図３】
2008225623.tif 000005
【図４】
2008225623.tif 000006
【図５】
2008225623.tif 000007
【図６】
2008225623.tif 000008
【図７】
2008225623.tif 000009
【図８】
2008225623.tif 000010